(57)【要約】【課題】操作部材が有効に操作されたことを使用者に確実に知らせる時計および時計の操作部材の状態表示方法を提供すること。【解決手段】時計１は、押しボタン３１〜３４にそれぞれ対応する状態表示部２１〜２４を備え、これらの状態表示部２１〜２４にそれぞれ、押しボタン３１〜３４の操作状態が表示される。使用者は、状態表示部２１〜２４に表示された操作状態に基づいて、押しボタン３１〜３４が有効に操作されたか否かを確実に知ることが可能となるので、押しボタン３１〜３４を何度も操作したり、いつまでも操作し続けたりすることがなく、また、押しボタン３１〜３４が押されたか否かを時計１の動作等に基づいて確認することを不要にできるので、利便性を大きく向上できる。【選択図】図１
2008304364.tif 000002
【特許請求の範囲】
【請求項１】
外部から操作可能な操作部材と、
前記操作部材の操作状態を表示する状態表示部と、を備え、
前記操作状態には、少なくとも、前記操作部材が有効に操作されたか否かが含まれる
ことを特徴とする時計。
【請求項２】
請求項１に記載の時計において、
前記状態表示部の表示態様は、前記操作部材が連続して操作された際の時間経過によって変更される
ことを特徴とする時計。
【請求項３】
請求項２に記載の時計において、
前記操作部材が連続して操作された連続操作時間を検出する操作時間検出部を備え、
前記状態表示部の表示態様が変更されることにより、前記操作状態としての前記連続操作時間が表示される
ことを特徴とする時計。
【請求項４】
請求項１から３のいずれかに記載の時計において、
前記操作部材は、複数設けられ、
前記状態表示部は、前記各操作部材の近傍にそれぞれ配置され、その近傍の前記操作部材に係る前記操作状態を表示する
ことを特徴とする時計。
【請求項５】
請求項１から４のいずれかに記載の時計において、
表示パネルを備え、
前記状態表示部は、前記表示パネルに設けられる
ことを特徴とする時計。
【請求項６】
請求項１から４のいずれかに記載の時計において、
文字板を備え、
前記状態表示部は、前記文字板に形成される窓部と、前記操作部材の操作に連動する指示部材と、を有して構成され、
前記操作状態は、前記操作部材の操作によって前記指示部材における前記窓部から視認される部分の表示状態が切り替わることにより、表示される
ことを特徴とする時計。
【請求項７】
請求項６に記載の時計において、
前記操作部材は、押し込み操作されるボタン本体と、このボタン本体の外周部の少なくとも一部を覆う覆い部と、を有する沈頭ボタンである
ことを特徴とする時計。
【請求項８】
時計が備える操作部材が有効に操作されたか否かを含む操作状態を検出する状態検出工程と、
前記操作状態を表示する状態表示工程と、を備える
ことを特徴とする時計の操作部材の状態表示方法。
【請求項９】
請求項８に記載の時計の操作部材の状態表示方法において、
前記状態表示工程は、前記操作部材が連続して操作された際の時間経過によって前記操作状態の表示態様を変更する
ことを特徴とする時計の操作部材の状態表示方法。
【請求項１０】
請求項９に記載の時計の操作部材の状態表示方法において、
前記状態検出工程は、前記操作部材が連続して操作された連続操作時間を検出し、
前記状態表示工程は、前記連続操作時間に応じた表示態様で、前記操作状態としての前記連続操作時間を表示する
ことを特徴とする時計の操作部材の状態表示方法。
【発明の詳細な説明】
【技術分野】
【０００１】
本発明は、時計および時計の操作部材の状態表示方法に関する。
【背景技術】
【０００２】
従来、ストップウォッチ、タイマーなど、種々のモードで使用される複数の操作ボタンを有する時計が知られている。このような時計では、必要な操作を行うために、１つの操作ボタンが複数の機能に兼用されており、操作方法が複雑で分かりにくい場合がある。このため、それぞれのボタンで現在可能な操作内容を液晶表示部に表示することが提案されている（特許文献１）。
【０００３】
【特許文献１】特開平７−３２５１６８号公報
【発明の開示】
【発明が解決しようとする課題】
【０００４】
上述のように、ボタンの操作内容を液晶表示部に表示することにより、操作方法は分かりやすくなる。しかしながら、肝心の「操作が有効に行われたかどうか」は、時計の動作等を確認しない限り、分からない。例えば、時刻修正等で、ボタンを長時間押す操作が必要となる場合があるが、押す力などの問題で押している最中にボタンが僅かに戻り、ボタンがOFF状態となってしまうことが考えられる。このようにボタンがOFFとなったことに使用者は気づかず、行ったと考えている操作と時計の動作とが一致しないことから、操作ミスや故障といった間違った判断を使用者がしてしまうおそれがあった。
また、ボタンの長押し操作の場合に限らず、いわゆる沈頭ボタンのように、誤操作を防止するため押しにくい構造となっているものは、通常のボタンよりも押し誤りが多く、使用者が押していると認識していても実際には押されていない場合が考えられる。
このように、ボタンなどの操作に関して、使用者の意に反して有効に操作されていない場合が生じ得るのであって、このような場合に、操作ミスや故障と誤って判断したり、あるいは、所望の動作状態となるまでいつまでも押し続けたり、何度も繰り返し押すなどの不都合が生じていた。
【０００５】
本発明の目的は、操作部材が有効に操作されたことを使用者に確実に知らせる時計および時計の操作部材の状態表示方法を提供することにある。
【課題を解決するための手段】
【０００６】
本発明の時計は、外部から操作可能な操作部材と、前記操作部材の操作状態を表示する状態表示部と、を備え、前記操作状態には、少なくとも、前記操作部材が有効に操作されたか否かが含まれることを特徴とする。
【０００７】
この発明によれば、操作部材を操作した際に、有効に操作されたことを示す操作状態が状態表示部に表示されるので、この表示された操作状態に基づいて、操作されたことを直ちにかつ確実に知ることが可能となる。これにより、操作部材を何度も操作したり、いつまでも操作し続けたりすることがなく、また、有効に操作されたことを時計の動作等に基づいて確認することが不要となるので、利便性を大きく向上できる。
【０００８】
本発明の時計では、前記状態表示部の表示態様は、前記操作部材が連続して操作された際の時間経過によって変更されることが好ましい。
【０００９】
この発明によれば、状態表示部における表示態様に基づいて、操作に必要な所定時間に対して操作時間が足りないことや、所定時間に到達するまで操作されたかどうかなど、所定時間に対してどの程度操作されたかに係る操作状態を知ることが可能となる。これにより、所定時間連続して行うことが必要な操作を簡単にかつ確実に行えるようになる。
【００１０】
本発明の時計では、前記操作部材が連続して操作された連続操作時間を検出する操作時間検出部を備え、前記状態表示部の表示態様が変更されることにより、前記操作状態としての前記連続操作時間が表示されることが好ましい。
すなわち、前記操作状態には、前記連続操作時間が含まれる。
【００１１】
この発明によれば、連続操作時間に応じた表示態様とされる状態表示部を見ながら、所定時間、操作を続けることが可能となるので、所定時間が経過する前に操作を止めてしまったり、逆に、余分に長く押したりすることがなく、所定時間連続して行うことが必要な操作を簡単にかつ確実に行えるようになる。
すなわち、状態表示部において、連続操作している時間が一目瞭然であるため、連続操作時間を使用者自身がカウントすることが不要となる。
なお、連続表示時間は、数字や、マーク等で表示することができる。
【００１２】
本発明の時計では、前記操作部材は、複数設けられ、前記状態表示部は、前記各操作部材の近傍にそれぞれ配置され、その近傍の前記操作部材に係る前記操作状態を表示することが好ましい。
【００１３】
この発明によれば、複数設けられた操作部材のそれぞれの近傍に操作状態が表示されるので、表示された操作状態と操作部材との対応関係を容易に理解できる。
【００１４】
本発明の時計では、表示パネルを備え、前記状態表示部は、前記表示パネルに設けられることが好ましい。
【００１５】
ここで、表示パネルの種類は特に限定されず、例えば、液晶パネル、電気泳動パネル、有機ＥＬパネル等であってよい。
この発明によれば、表示パネルにおいて、操作状態を示すマークや文字・数字等を見易く表示可能となるため、操作状態の把握が一層容易となる。
また、状態表示部に表示パネルを用いることにより、低コスト化および省スペース化を図ることができ、他の表示機構を組み込む場合と比べて、安価かつ小型な時計を提供できる。
【００１６】
本発明の時計では、文字板を備え、前記状態表示部は、前記文字板に形成される窓部と、前記操作部材の操作に連動する指示部材と、を有して構成され、前記操作状態は、前記操作部材の操作によって前記指示部材における前記窓部から視認される部分の表示状態が切り替わることにより、表示されることが好ましい。
【００１７】
この発明によれば、文字板の窓部と指示部材とにより、操作部材の操作に応じて機械的に動作する表示機構を構成することが可能となる。本発明は、指針および文字板により時刻表示を行うアナログ時計に好適となる。
【００１８】
本発明の時計では、前記操作部材は、押し込み操作されるボタン本体と、このボタン本体の外周部の少なくとも一部を覆う覆い部と、を有する沈頭ボタンであることが好ましい。
【００１９】
この発明によれば、通常の押しボタンよりも沈頭ボタンは押しにくいため、押している筈なのに押せていないという状況が十分に考えられるが、前述のように、有効に押されているか否かを状態表示部において確認できるので、押し込み操作を確実に行うことが可能となる。すなわち、沈頭ボタンに係る本発明によれば、押し間違いを防止しつつ、押したいときは確実に操作できる。
【００２０】
本発明の時計の操作部材の状態表示方法は、時計が備える操作部材が有効に操作されたか否かを含む操作状態を検出する状態検出工程と、前記操作状態を表示する状態表示工程と、を備えることを特徴とする。
【００２１】
この発明によれば、操作部材を操作した際に、有効に操作されたことを示す操作状態が表示されるので、この表示された操作状態に基づいて、操作されたことを直ちにかつ確実に知ることが可能となる。これにより、利便性を大きく向上できる。
【００２２】
本発明の時計の操作部材の状態表示方法では、前記状態表示工程は、前記操作部材が連続して操作された際の時間経過によって前記操作状態の表示態様を変更することが好ましい。
【００２３】
この発明によれば、操作状態の表示態様に基づいて、操作に必要な所定時間に対して操作時間が足りないことや、所定時間に到達するまで操作されたかどうかなど、所定時間に対してどの程度操作されたかに係る操作状態を知ることが可能となる。これにより、所定時間連続して行うことが必要な操作を簡単にかつ確実に行えるようになる。
【００２４】
本発明の時計の操作部材の状態表示方法では、前記状態検出工程は、前記操作部材が連続して操作された連続操作時間を検出し、前記状態表示工程は、前記連続操作時間に応じた表示態様で、前記操作状態としての前記連続操作時間を表示することが好ましい。
【００２５】
この発明によれば、連続操作時間に応じた表示態様とされた表示を見ながら、所定時間、操作を続けることが可能となるので、所定時間連続して行うことが必要な操作を簡単にかつ確実に行えるようになる。
【発明の効果】
【００２６】
以上の本発明によれば、操作部材が有効に操作されたことを使用者に確実に知らせる時計を提供できる。
【発明を実施するための最良の形態】
【００２７】
以下、本発明の各実施形態について図面を参照して説明する。
なお、第２実施形態以降の説明において、以下に説明する第１実施形態と同様の構成については、同一符号を付して、説明を省略もしくは簡略化する。
【００２８】
［第１実施形態］
図１は、本発明の第１実施形態に係る時計１の外観を示す。時計１は、図示しない計時部と、時刻等を表示する表示パネル２と、外装ケース３とを備えている。
外装ケース３には、複数の押しボタン（操作部材）３１〜３４が設けられている。これらの押しボタン３１〜３４の操作により、ストップウォッチ、タイマー、アラーム、時刻修正等の各種操作が可能となっている。
【００２９】
表示パネル２は、液晶パネル、電気泳動パネル、有機ＥＬパネル等とされ、モードに応じて時刻表示やストップウォッチ表示などに切り替わるメイン表示部２０と、各押しボタン３１〜３４の操作状態をそれぞれ表示する状態表示部２１〜２４とを有している。
状態表示部２１〜２４はそれぞれ、図１に二点鎖線で示すように、各押しボタン３１〜３４の近傍に配置され、その近傍の押しボタン３１〜３４の操作状態を表示する。
【００３０】
図２は、各押しボタンのスイッチ操作に係る回路を示す。この回路は、外装ケース３内の回路基板に実装されている。例えば、押しボタン３１が押されスイッチ４１がONになると、制御部４２は、電圧信号に基いて押しボタン３１が押されたことを検出し（状態検出工程）、表示パネル２のドライバ４３に駆動信号を出力する。この駆動信号に基いて、ドライバ４３は、状態表示部２１に、押しボタン３１が有効に押されたことを示す操作状態を描画する（状態表示工程）。
一方、スイッチ４１がOFFになると、制御部４２は、押しボタン３１が押されていないことを検出し（状態検出工程）、ドライバ４３に駆動信号を出力する。この駆動信号に基いて、ドライバ４３は、状態表示部２１の表示を書き換え、操作状態の表示を消去する（状態表示工程）。
【００３１】
図３は、押しボタン３１に対応する状態表示部２１の表示態様を示す。本実施形態では、押しボタン３１が有効に押されたタイミングで、有効操作状態を示す黒色の矩形マークが状態表示部２１に表示される。一方、押しボタン３１の押し込みが解除されると、状態表示部２１の表示は、画面の背景色と同じ白色で描画される。これによって、押しボタン３１が非操作状態であることが示される。
【００３２】
なお、押しボタン３１〜３４の押し込み操作は、押しボタン３１〜３４毎に検出され、押されたボタンに応じて、状態表示部２１〜２４のそれぞれの表示がドライバ４３を介して変更される。本実施形態では、各状態表示部２１〜２４における表示は図３と同様であるが、状態表示部２１〜２４における操作状態の表示は、他の色、他の形状のマークや文字などであってもよい。
【００３３】
以上の第１実施形態によれば、次のような効果が得られる。
（１）時計１は押しボタン３１〜３４にそれぞれ対応する状態表示部２１〜２４を備えており、これらの状態表示部２１〜２４にそれぞれ表示された操作状態に基づいて、押しボタン３１〜３４が有効に操作されたか否かを確実に知ることが可能となる。このように、押しボタン３１〜３４の操作状態を知ることができるので、押しボタン３１〜３４を何度も操作したり、いつまでも操作し続けたりすることがなく、また、押しボタン３１〜３４が押されたか否かを時計１の動作等に基づいて確認することを不要にできるので、利便性を大きく向上できる。
【００３４】
（２）状態表示部２１〜２４は表示パネル２に設けられているため、操作状態を示すマークが見易く、各押しボタン３１〜３４に係る操作状態の把握が一層容易となる。
また、表示パネル２に状態表示部２１〜２４が形成されていることにより、低コスト化および省スペース化を図ることができ、安価かつ小型な時計１を提供できる。
【００３５】
（３）各押しボタン３１〜３４の近傍に操作状態が表示されるので、表示された操作状態と押しボタン３１〜３４との対応関係を容易に理解できる。
【００３６】
なお、表示パネル２の駆動方式は特に限定されない。セグメント駆動方式でもよいし、ドットマトリクス駆動方式でもよい。また、モノクロ表示でもカラー表示でもよい。
【００３７】
〔第２実施形態〕
次に、本発明の第２実施形態について図４〜図７を参照して説明する。
図４は、本実施形態の時計５を示す。この時計５は、押しボタン３１〜３４がそれぞれ連続して押された連続操作時間を表示する状態表示部５１〜５４を有している。
【００３８】
図５は、各押しボタンのスイッチ操作に係る回路を示す。この回路は、図２の回路とは異なり、タイマー４４を有している。タイマー４４は制御部４２に接続され、これら制御部４２およびタイマー４４によって、操作時間検出部が構成されている。
タイマー４４は、ボタンが押されたことを制御部４２が検出したタイミングで、所定時間の計測を開始する。この際、制御部４２からの駆動信号により、前掲の図３のように、ボタンが有効に押されたことを示す黒い矩形が状態表示部に描画される。そして、制御部４２は、タイマー４４による計測によってボタンの連続操作時間を検出し（状態検出工程）、ドライバ４３に駆動信号を出力する。
ボタンを押している最中に、ボタンから指が離れると、スイッチ４１がOFFとなり、制御部４２はボタンが押されていないことを検出してタイマー４４の計測を終了するとともに、ドライバ４３に駆動信号を出力する。
【００３９】
ここで、図４の時刻表示を行うモードから、ストップウォッチのモードに切り替えるモード変更を例にとって説明する。このモード変更は、押しボタン３１を２秒間連続して押した際に行われる。
図６に示すように、本実施形態では、押しボタン３１を押して１秒が経過したタイミングで、状態表示部５１に「１」が描画され、２秒が経過したタイミングで、状態表示部５１に「２」が描画される。この間、メイン表示部２０には、時刻が表示されている。
本実施形態の状態表示部５１〜５４（図４）はそれぞれ、対応する押しボタン３１〜３４が押されたことを示す有効表示部５００と、１秒押されたことを示す１秒押下表示部５０１と、２秒押されたことを示す２秒押下表示部５０２とを有する。
ここで、1秒押下表示部５０１と２秒押下表示部５０２とにそれぞれ、１秒間押されたことと、２秒間押されたことを別々に表示する構成に限らず、勿論、これらの表示部を１つにまとめることも可能である。例えば、図６で１秒押下表示部５０１と２秒押下表示部５０２とが表示されている領域を一体の表示領域として構成し、当該表示領域に描画される数字を変化させることにより、１秒間押されたことと、２秒間押されたこととを表示してもよい。
【００４０】
図６のように表示された後、制御部４２により、時計５のモードはストップウォッチモードに切り替わり、図７に示すように、メイン表示部２０の表示が変更される。そして、押しボタン３１から手を離したタイミングで、制御部４２はドライバ４３に駆動信号を出力し、これによって、状態表示部５１（図５）における操作状態（有効操作、１秒押下、２秒押下）の各表示は全て消去される。
【００４１】
以上の第２実施形態によれば、第１実施形態で述べた効果に加えて、次のような効果が得られる。
（４）状態表示部５１〜５４は、各押しボタン３１〜３４が有効に押されたか否かを示す有効表示部５００に加えて、各押しボタン３１〜３４が連続して押された時間を表示する１秒押下表示部５０１および２秒押下表示部５０２を有するので、これらの表示部５００〜５０２により現在の連続操作時間を確認しながら、所定時間、押しボタン３１〜３４を押し続けることが可能となる。これにより、使用者はカウントを誤ることなく、所定時間連続して行うことが必要な操作を簡単にかつ確実に行えるようになる。また、押しボタン３１〜３４を離してしまったときも確認が容易となる。
【００４２】
なお、状態表示部５１〜５４における操作状態を示す各表示部５００〜５０２の相対位置、形状、数等は本実施形態に限らない。また、連続操作時間の表示間隔は、１秒に限らず、適宜設定できる。
【００４３】
〔第３実施形態〕
次に、本発明の第３実施形態について図８〜図１０を参照して説明する。
図８は、本実施形態に係る時計６の外観を示す。時計６は、指針６１〜６３および文字板６４により時刻表示を行う。時計６の外装ケース６０には、操作部材としての沈頭ボタン６５が設けられている。
【００４４】
図９は、時計６の部分拡大図である。沈頭ボタン６５は、押し込み操作されるボタン本体６５１と、ボタン本体６５１の外装ケース６０から突出する外周部を覆う覆い部６５２と、ボタン本体６５１を外装ケース６０の外側に付勢するコイルバネ６５３とを有して構成されている。
本実施形態では、ボタン本体６５１の外周部全体に覆い部６５２が設けられているが、ボタン本体６５１の外周部の一部に覆い部が設けられていてもよい（半沈頭ボタン）。
また、本実施形態の覆い部６５２は、外装ケース６０から円筒状に起立しているが、ボタン本体６５１が外装ケース６０の開口部６０１に埋設され、この開口部６０１の周縁が覆い部を構成していてもよい。
【００４５】
図９に示すように、外装ケース６０内にはムーブメント７０が収容され、ムーブメント７０の地板７１には、沈頭ボタン６５が押された際に回路基板７２の接点に当接されるスイッチバネ７１０が取り付けられている。なお、７２１はスイッチバネ７１０との接点部を有するパターンである。
スイッチバネ７１０は、文字板６４の裏側で文字板６４と略平行に延出する板状の指示部材７１１を有している。
【００４６】
指示部材７１１には、沈頭ボタン６５が押された状態を示す有効表示部７１１Ａがパターン形成等によって設けられている。この有効表示部７１１Ａの色は、指示部材７１１における他の部分の色とは異なっている。
文字板６４には、窓部６４１（図８参照）が形成されており、本実施形態では、この窓部６４１と指示部材７１１とにより、状態表示部が構成されている。
【００４７】
図１０は、ペン先などで沈頭ボタン６５が押された状態を示す。沈頭ボタン６５の押し込みに連動して指示部材７１１が文字板６４の裏側で移動し、窓部６４１から指示部材７１１の有効表示部７１１Ａが視認可能となる。すなわち、沈頭ボタン６５の操作状態は、窓部６４１の表示色が切り替わることによって表示される。
【００４８】
以上の第３実施形態によれば、、第１実施形態で述べた効果に加えて、次のような効果が得られる。
（５）文字板６４の窓部６４１と指示部材７１１の有効表示部７１１Ａとにより、沈頭ボタン６５の操作に応じて機械的に動作する表示機構が構成されるので、アナログ表示の時計６に好適となる。
【００４９】
（６）沈頭ボタン６５と、窓部６４１および指示部材７１１を含んで構成される状態表示部との相乗効果によって、押し間違いを防止しつつ、押したいときは確実に操作できる。
【００５０】
なお、本実施形態では、操作部材として沈頭ボタン６５を例示したが、覆い部がない通常の押しボタンを採用することもでき、この場合も、前記（５）と同様の効果が得られる。
また、本実施形態ではスイッチバネ７１０の一部として指示部材７１１が設けられていたが、ボタン操作に連動する指示部材の構成はこれに限らない。例えば、ボタンの押し込み操作によって回動するレバー等が指示部材とされていてもよい。このようなレバー機構により、押しボタンの変位量が拡大されるので、文字板の窓部のサイズおよび有効表示部のサイズを大きくしたり、押しボタンのストロークを小さくすることが可能となる。
【００５１】
〔第４実施形態〕
次に、本発明の第４実施形態について図１１〜図１３を参照して説明する。本実施形態では、前記第２実施形態と同様のスイッチ回路（図５）が設けられ、押しボタンの連続操作時間に応じて状態表示部における表示態様が変更されるが、その表示態様が前記第２実施形態とは相違する。
図１１は、本実施形態に係る時計８を示す。本実施形態の表示パネル２は、印加電圧や単位時間毎の電圧印加時間に応じて、またドットマトリクス駆動方式の場合は面積比に応じて、複数の階調を表示可能とされている。
【００５２】
本実施形態においても、第２実施形態と同様に、時刻表示のモードからストップウォッチモードに切り替える操作を例にとり、説明する。
押しボタン３１を押すと、図１１に示すように、状態表示部８１における表示色は薄いグレー色に変わり、これによって押しボタン３１が有効に押されたことが表示される。
このまま押しボタン３１を１秒間押し続けると、図１２に示すように、状態表示部８１における表示色は濃いグレー色に変わり、これによって押しボタン３１が１秒間押されたことが表示される。さらに、押しボタン３１を押し続け、２秒が経過すると、図１３に示すように、状態表示部８１における表示色は黒色に変わり、これによって押しボタン３１が２秒間押されたことが表示される。この後、メイン表示部２０の表示は、図７のようにストップウォッチ画面に切り替わる。
なお、図１１〜図１３には押しボタン３１に対応する状態表示部８１のみを示したが、他の押しボタン３２〜３４にそれぞれ対応する図示しない状態表示部がそれぞれ、表示パネル２において対応する押しボタン３２〜３４の近傍に設けられている。
本実施形態では、状態表示部８１における表示色（表示態様）の変更により、操作に必要な所定時間（２秒間）に対してどの程度操作されたか、具体的には何秒間押されたかがわかる。本実施形態では、表示パネル２がセグメント駆動方式の場合、状態表示部８１を１つのセグメントで構成することができる。
【００５３】
このような本実施形態によっても、使用者は状態表示部８１の表示態様に基づいて、押しボタン３１が有効に押されたか否か、および連続操作時間を知ることが可能となる。本実施形態は、前記第２実施形態と同様の効果を奏する。
【００５４】
〔第４実施形態の変形例〕
前記第４実施形態では、連続操作時間を検出し、状態表示部の表示態様を薄いグレー、濃いグレー、黒と段階的に変更していたが、このような表示態様の変更は、一度の表示書き換え処理の過程において行われていてもよい。これによって、前記第４実施形態と同様の効果を奏する。例えば、一度の書き換え処理に１秒〜数秒を要する表示パネルでは、この書き換え処理に要する時間を所定の操作に必要な所定時間として、この所定時間に対してどの程度操作されたかを、薄いグレー、濃いグレー、黒などの表示色の階調で表すことが可能である。ここで、電気泳動パネルは、一般に、一度の書き換え処理に１秒〜数秒を要するから、好適である。
なお、一度の書き換え処理における表示態様の変化は、連続操作時間に比例していなくてもよく、表示態様の変化により、操作に必要な所定時間に対する進捗が示されればよい。
本例のように、一度の書き換え処理の過程における表示態様の変化を利用する場合などは、連続操作時間の検出を必ずしも行わなくてよい。これにより、回路構成を簡略にできる。
【００５５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５６】
【図１】本発明の第１実施形態に係る時計の外観図。
【図２】押しボタンのスイッチ操作に係る回路図。
【図３】前記実施形態における状態表示部を示す図。
【図４】本発明の第２実施形態に係る時計の外観図。
【図５】押しボタンのスイッチ操作に係る回路図。
【図６】前記実施形態における状態表示部を示す図。
【図７】モード変更後の画面を示す図。
【図８】本発明の第３実施形態に係る時計の外観図。
【図９】前記時計の部分拡大図。
【図１０】前記時計の一部破断図（沈頭ボタンを押した状態）。
【図１１】本発明の第４実施形態に係り、状態表示部を示す図。
【図１２】前記実施形態に係り、状態表示部を示す図。
【図１３】前記実施形態に係り、状態表示部を示す図。
【符号の説明】
【００５７】
１，５，６・・・時計、２・・・表示パネル、２０・・・メイン表示部、２１〜２４・・・状態表示部、３１〜３４・・・押しボタン（操作部材）、４２・・・制御部（操作時間検出部を構成）、４４・・・タイマー（操作時間検出部を構成）、５１〜５４・・・状態表示部、６４・・・文字板、６５・・・沈頭ボタン（操作部材）、５００・・・有効表示部、５０１・・・１秒押下表示部、５０２・・・２秒押下表示部、６４１・・・窓部（状態表示部を構成）、６５１・・・ボタン本体、６５２・・・覆い部、７１１・・・指示部材（状態表示部を構成）、７１１Ａ・・・有効表示部。
【図１】
2008304364.tif 000003
【図２】
2008304364.tif 000004
【図３】
2008304364.tif 000005
【図４】
2008304364.tif 000006
【図５】
2008304364.tif 000007
【図６】
2008304364.tif 000008
【図７】
2008304364.tif 000009
【図８】
2008304364.tif 000010
【図９】
2008304364.tif 000011
【図１０】
2008304364.tif 000012
【図１１】
2008304364.tif 000013
【図１２】
2008304364.tif 000014
【図１３】
2008304364.tif 000015